(57)【要約】【課題】  通常は普通の食器として使用できるが、空いている同じ外形の食器を向い合せに被せることで蓋としても使用できる食器を提供する。【解決手段】  複数の食器の各周縁部にそれぞれ段差部を設け、段差部は各器相互に噛み合わせ可能な位置であることを特徴とする食器。  更には、段差部は、同じ形状を等間隔に繰り返してなる。更には、器接合部の接触面の内側を円弧状に設ける。更には、噛み合わされた食器相互の内側の面は直線より角度が小さい。【選択図】図１
2017144147.tif 000002
【特許請求の範囲】
【請求項１】
複数の器の各周縁部にそれぞれ段差部を設け、段差部は各器相互に噛み合わせ可能な位置であることを特徴とする器。
【請求項２】
段差部は、同じ形状を等間隔に繰り返してなる請求項１記載の器。
【請求項３】
噛み合わされた器相互の内側の面は直線より角度が小さい、請求項１または請求項２のいずれかに記載の器。
【請求項４】
器接合部の接触面の内側を円弧状に設ける、請求項１または請求項２または請求項３のいずれかに記載の器。
【発明の詳細な説明】
【技術分野】
【０００１】
本発明は、食器等の器に係る。更に詳細には、食品あるいは玩具その他の装飾品等を載置する器に他の器の使用面相互を向い合せて収納する器に係る。
【背景技術】
【０００２】
従来、食器皿などの食器には、食器の縁には他の食器と噛み合わせる目的の段差は設けることは無かった。そのため、二枚の食器皿のうち一枚を他方に被せて使用しようと思っても、噛み合わせる構造になっていないため、食器皿の被せ面にずれが生じ、一方の食器を他方の食器の蓋として使用することは困難であった。
専用蓋つきの食器皿の場合は、ずれ止め構造を設けるなどして、食器皿本体と蓋体の被せることは可能であったが、蓋体は食器皿として使用するものではなかった。
食器皿を被覆するには、薄いプラスチック樹脂製透明フィルムで食器皿表面を被覆することが知られている。あるいは、食品の一時保管や電子レンジでの調理に使用される樹脂製の蓋が知られている。しかし、これらは様々なサイズの食器皿にあわせた大きさ、形状の複数種類の蓋が必要とされるとともに、蓋自体は食器皿として使用されるものではなかった。
【０００３】
更に、ある程度の大きさを兼用できる円形等の形状からなり合成樹脂製からなる食器用で、食材の一時保存や電子レンジによる調理に使用する蓋が知られている。
【０００４】
特許文献１（特開２００４−３５８１５９号）「食器セット」は、「食器セットにおいて、収納効果を向上させること、及び、多用途に使用することができる。」とされ、「食器セット（１０１）は、食器にもなる蓋部（１１０）と、保存容器にもなる食器（１２０）数個から成る。又、それぞれの容器上部に、フランジ部（１００ａ）を設け、容器下部に段付け部（１００ｂ）を設けることにより、積み重ね可能となり、数段の食品保存容器となる。又、保存容器にもなる食器（１２１）の内部に食器（１２２）、又その内部に食器（１２３）を収納することにより、コンパクトに収納することが可能である。」とされる。
【０００５】
特許文献２（特開２００２−１０２０４１号）「システム食器」は、「収納等を考え、種類、特に外径サイズを整理統一して少なくする。ただし、多様な使用状況にも対応する。飽きのこないシンプルな形状で、内部も洗いやすくする。収納等を考え、すべての食器をコンパクトに積み重ねられるようにする。熱いコーヒーを飲む時など、皿に直接触らなくて済むようにする。」とされ、「全皿の外径サイズを４種類のみとし，それぞれに対して、深皿、浅皿、平皿の３種類の深さを用意する。深皿と浅皿は、側面の形状を、傾いた直線の挽き形状（円錐面）とすることで、すべての皿はコンパクトに積み重ねられる。側面と底面の交差部分は十分に大きな円弧形状にすることで、内部も洗いやすくなる。平皿の形状を工夫して、逆さにして深皿、浅皿の蓋としても使用可能とする。把手は別に用意する。折畳み構造で、収納時は薄くコンパクトになる。それを嵌めて使用することにより、自由にコーヒーカップやスープカップにすることが可能。」とする。
【０００６】
特許文献３（意匠登録第１４６３１４７号）「一組の食卓用皿及びコップセット」は、「本物品は、大中小の３つ皿と１つの把手付きのコップとから構成される。３枚の皿及びコップは、正面、平面および右側面図を表す図に示されるように積み重ねて収納することができる。」とされる。
【先行技術文献】
【特許文献】
【０００７】
【特許文献１】特開２００４−３５８１５９号公報
【特許文献２】特開２００２−１０２０４１号公報
【特許文献３】意匠登録第１４６３１４７号公報
【発明の概要】
【発明が解決しようとする課題】
【０００８】
従来の食器に載置された食品、食材を一時的に保存しようとした場合は、専用の蓋つきの容器などの保存容器に移し替えなくてはならない。この場合は、食品、食材を移し替える手間が掛かり、更に使用しない間は空の状態で、各サイズからなる複数の容器を補完しなければならず、家庭のキッチンや、レストラン等の調理場での保管場所を広く取る必要が生ずる。
【０００９】
二枚の食器皿のうち一枚を他方に被せて使用する場合は、同じ直径の食器をお互いに向い合せて重ねて蓋の代わりに使用する。その場合は、食器皿相互が噛み合わせる構造になっていないため、相互に移動しやすく、外れる可能性があった。
【００１０】
食器皿を、薄いプラスチック樹脂製透明フィルムで食器皿表面を被覆する場合は、フィルムで正確に貼り付ける手間が掛かった。
更に、薄いプラスチック樹脂製透明フィルムは、薄いため、強度が弱く、上に他の食器皿などを重ねて置くことはできない。そのため、収納する食器皿の数が多いときは、収納する場所が不足する。
更に、フィルムは、リサイクルに適さないため、環境に優しくなく、また、普及していない国や地域も存する。
【００１１】
円形等で合成樹脂製からなる食材の一時保存や電子レンジによる調理に使用する蓋では、異なる食器に適応させる為、大きめになっている。小さい食器でも大き目の蓋を被せて使用し、サイズも大、中、小など、数種類が必要となる。一般的な食器皿に対応できるが、各食器皿の専用ではないため、食器の縁に凹凸や歪みがある場合は蓋との隙間が多くなる問題を有する。
食器皿とのずれ防止構造が弱く、食器を載せて置く目的で使用されるが、安定性が低く、蓋の上に他の物を載せるには不安定である。
【００１２】
特許文献１「食器セット」、特許文献２「システム食器」、特許文献３「一組の食卓用皿及びコップセット」は、食品を載置する面同士を向い合せに重ねるものではない。
【課題を解決するための手段】
【００１３】
この発明は、これら課題を解決するものであって、
複数の器の各周縁部にそれぞれ段差部を設け、段差部は各器相互に噛み合わせ可能な位置であることを特徴とする器、
を、提供する。
【００１４】
更には、
段差部は、同じ形状を等間隔に繰り返してなる。
【００１５】
更には、
噛み合わされた器相互の内側の面は直線より角度が小さい。
【００１６】
更には、
器接合部の接触面の内側を円弧状に設ける。
【発明の効果】
【００１７】
この発明は、これら問題点を解決するためになされたものであって、通常は普通の器として使用できるが、空いている同じ外形の器を向い合せに被せることで蓋としても使用できる器を提供する。
【図面の簡単な説明】
【００１８】
【図１】この発明の実施の形態に係る第１実施例の正面図である。
【図２】この発明の実施の形態に係る第１実施例の斜視図である。
【図３】この発明の実施の形態に係る第１実施例の噛み合わせ状態の正面図である。
【図４】この発明の実施の形態に係る第１実施例の複数の噛み合わせ状態の図である。
【図５】この発明の実施の形態に係る第２実施例の噛み合わせ状態の正面図である。
【図６】この発明の実施の形態に係る第３実施例の噛み合わせ部分の正面拡大図である。
【図７】この発明の実施の形態に係る第４実施例の噛み合わせ部分の正面拡大図である。
【図８】この発明の実施の形態に係る第５実施例の噛み合わせ部分の正面拡大図である。
【図９】この発明の実施の形態に係る第６実施例の噛み合わせ部分の正面拡大図である。
【図１０】この発明の実施の形態に係る第７実施例の噛み合わせ部分の平面拡大図である。
【図１１】この発明の実施の形態に係る第７実施例の噛み合わせ部分の正面拡大図である。
【図１２】この発明の実施の形態に係る第８実施例の噛み合わせ部分の平面拡大図である。
【図１３】この発明の実施の形態に係る第８実施例の噛み合わせ部分の正面拡大図である。
【図１４】この発明の実施の形態に係る第９実施例の噛み合わせ状態の中央断面図である。
【図１５】この発明の実施の形態に係る第１０実施例の噛み合わせ状態の中央断面図である。
【図１６】この発明の実施の形態に係る第１１実施例の噛み合わせ状態の正面図である。
【図１７】この発明の実施の形態に係る第１２実施例の噛み合わせ状態の正面図である。
【図１８】この発明の実施の形態に係る第１３実施例の噛み合わせ状態の正面図である。
【図１９】この発明の実施の形態に係る第１４実施例の噛み合わせ状態の正面図である。
【図２０】この発明の実施の形態に係る第１５実施例の正面図である。
【図２１】この発明の実施の形態に係る第１６実施例の中央断面図である。
【図２２】この発明の実施の形態に係る第１７実施例の中央断面図である。
【図２３】この発明の実施の形態に係る第１７実施例の斜視図である。
【図２４】この発明の実施の形態に係る第１８実施例の一部拡大断面図である。
【発明を実施するための形態】
【００１９】
１１、１２は、器であり、この実施例では食器からなる。２１は器接合部である。２２は、器接合部２１の縁に設ける段差である。
食器１１に設ける段差２２の形状、間隔、高さなどは、図１６乃至２１に図示されるような絵柄や、図６乃至図９に図示されるデザインとの兼ね合いによる。段差２２の形状、間隔、高さなどは、食器１１の形状や寸法を限定するものではない。また、食器１１の形状は円形以外、楕円形、多角形、ハート型等、対称形であれば製作可能である。
【００２０】
すなわち、図１乃至図４に図示される第１実施例、図５に図示される第２実施例では、
断差２２は、波型に形成される。図６に図示される第３実施例では、段差２２は台形状に形成される。図７に図示される第４実施例では、段差２２は、二重構造の波型に形成される。図８に図示される第５実施例では、段差２２は、大小の波型が繰り返す、波型から形成される。
【００２１】
段差２２の形状は、図１に図示されるような円弧状や図６乃至図９に図示されるような溝以外にも、図１０乃至図１３に図示されるような繰り返し規則正しい凹凸でも良い。図１０、図１１に図示される第７実施例、図１２、図１３に図示する第８実施例では、凹凸は、凸状からなる段差２２凸及び凹状からなる段差２２凹との組み合わせからなる。そのため、噛み合わせがより確実となる。
段差２２の噛み合わせの角度は、図１３に図示されるように、食器１１の合せ面３１に対して９０度、垂直に近いほど噛み合わせは強くなる。噛み合わせの形状は、図１６に図示されるように、片方の食器１１を凹のみ、もう片方の食器１２を凸のみでも同じ効果が得られる。この場合、凹同士からなる合わせ面３１からなる食器１１や、凸同士からなる合わせ面３１からなる食器１１同士の組合せはできないが、絵柄等で、必ず上下が決まった組合せとして使用する場合は、有効である。
【００２２】
薄い食器１１や、大きい食器１１は製作工程の熱などで歪みを生ずる場合が多い。歪みが生ずると、食器１１の噛み合わせにずれが生じ、噛み合わせが弱くなる場合がある。歪みが起こった場合でも、食器１１同士がしっかりと噛み合うために、相互に噛み合わせる食器１１の片側一方又は双方ともに食器１１の縁を厚くすると、器の歪みによるずれを防止することが可能となる。
【００２３】
食器１１を噛み合わせた状態で水分を含んだ食品、食材を保管していると食器１１の内側に水滴が付着する。この水滴は、食器１１の内側に沿って流れてくる。この水滴が食器１１の食品接合部２１を通過するときに外側に流れないようにするように、図１４、図１５に図示する第９実施例、第１０実施例ように、食品接合部２１の内側角度Ｅを狭くする。また、図１４に見られるように接触面の内側を円弧状Ｇに設けるとよい。
図１４、図１５において、Ａは食器１１の外側、Ｂは食器１１の内側である。ｄは水滴の流れである。
食器１１の内側Ｂの面は直線より角度が小さい。なお、食器１１の外側Ａと内側Ｂの角度は直接関係ない。
図１４に図示する第９実施例では、少なくとも食器接触部２１近くでは、面全体を内側Ａの角度の方が、外側Ｂの角度よりも狭くしている。そのため、食器接触部２１付近でも水滴は外側に流れにくくなる。
先端は円弧状となっており、更に、水滴の流れが円滑となる。
【００２４】
図１５に図示される第１０実施例では、面全体の角度としては内側Ａの角度と外側Ｂの角度は変わらず食器接触部２１近くでも面全体は略垂直となっている。しかし、食器接触部２１の先端は、外側Ａの方が鋭角に尖らせた外側先端部３２を設けているのに対して、内側は鈍角からなる内側先端部３３を設けている。そのため、食器１１相互の接合状態では、内側先端部３３間には、外側に抉れた凹部３４が設けられる。
そのため、食器接触部２１付近でも水滴は外側に流れにくくなる。
【００２５】
被せた上部側食器の内側に発生した水滴が食器の合わせ面に流れ落ちる量を軽減する方法として、断面図である図２１に図示される第１６実施例のように、重ねられた食器１１相互が中央に行くに従い近接するように、食器１１の中央に向けて底面に傾斜を設けるとよい。水滴は、図２１に図示されるように、底面は曲面を描くため、中央部に落下する。
その他の形状として断面図である図２２に図示される第１７実施例のように、食器１１底面の迫り上がりより少し内形にゆるい盛り上がり部分、すなわち斜視図である図２３に図示されるように、底部内側を一周するリング状の凸部４１を設ける事で水滴が食器の合わせ面に流れる量を軽減できる。水滴は、図２２に図示されるように凸部４１を越えて外側に流れ出さない。
このリング状の凸部４１は断面図２４に図示される第１８実施例のように凹み４２でも同じ効果を得る事ができる。重ねた食器の内側に発生した水滴が食器１１の合わせ面に向かって超える事のできない角度を設ける事を目的としている。水滴は、図２４に図示されるように凹部４２を越えて外側に流れ出さない。
【００２６】
この発明の実施例は、通常は普通の食器１１として使用できるが、空いている同じ外形の食器１１を向い合せに被せることで蓋としても使用できる食器１１を提供する。
食材が残ってしまった場合も、別の保存容器に移し替える必要なく、空いている他の食器１１を被せるだけで、図５に図示されるように、他の食器１１を蓋として使用することが可能である。
【００２７】
この発明の実施例では、食器１１は蓋が噛み合った状態で、図４に図示されるように、重ねて保管することが可能である。そのため、冷蔵庫等の狭い収納場所にも収納可能となる。
この発明の実施例では、電子レンジに対応した素材で食器１１を製造すれば、電子レンジの調理用の蓋として食器１１を使用することが可能となる。そのため、従来のような合成樹脂製フィルムを貼り付ける手間もかからず、使い捨ての石油製品の使用を少なくすることも可能となる。また、電子レンジ調理用の蓋を多種類そろえる必要も無くなる。
【００２８】
立体的に高さのある食材の保存または電子レンジでの調理を行う場合は、図５に図示されるようなドーム型のカバーを用意する必要がある。合成樹脂製のフィルムでは、食材を押し潰してしまう。この発明の実施例では、食器１１は、同じ外形で底の深い容器を蓋として使用することで、薄い容器に置かれた高さのある食材等の保管や電子レンジによる調理を容易に行うことが可能となる。
この発明では、食品あるいは玩具その他の装飾品等を載置する器に他の器の使用面相互を向い合せて収納する器を提供する。
【符号の説明】
【００２９】
１１  食器
１２  食器
２１  器接合部
２２  段差
３１  合せ面
Ａ    （食器）外側
Ｂ    （食器）内側
【図１】
2017144147.tif 000003
【図２】
2017144147.tif 000004
【図３】
2017144147.tif 000005
【図４】
2017144147.tif 000006
【図５】
2017144147.tif 000007
【図６】
2017144147.tif 000008
【図７】
2017144147.tif 000009
【図８】
2017144147.tif 000010
【図９】
2017144147.tif 000011
【図１０】
2017144147.tif 000012
【図１１】
2017144147.tif 000013
【図１２】
2017144147.tif 000014
【図１３】
2017144147.tif 000015
【図１４】
2017144147.tif 000016
【図１５】
2017144147.tif 000017
【図１６】
2017144147.tif 000018
【図１７】
2017144147.tif 000019
【図１８】
2017144147.tif 000020
【図１９】
2017144147.tif 000021
【図２０】
2017144147.tif 000022
【図２１】
2017144147.tif 000023
【図２２】
2017144147.tif 000024
【図２３】
2017144147.tif 000025
【図２４】
2017144147.tif 000026